(57)【要約】【課題】  折り畳み式携帯電話機において、開いた状態と閉じた状態のいずれでも通話を行えるようにし、また、閉じた状態であっても、開いた状態のときと同様に良好な通話状態を実現できるようにする。【解決手段】  第一の筐体５１の第一面５２には、液晶表示部３をはさんで開状態使用受話器１と閉状態使用受話器２とが配置される。第一の筐体５１と第二の筐体５４は、二軸ヒンジ６によって接続され、第一の回転軸６ａにより開閉される。また、第一の筐体５１は、第二の回転軸６ｂにより回転する。開状態のときには、開状態使用受話器１が受話音声を出力する。第一の筐体５１の第二面５３と第二の筐体５４のキー配置面４とが対向するように折り畳まれたときには、閉状態使用受話器２が受話音声を出力する。また、閉じた状態と開いた状態とでは、音声信号の増幅率を変化させる。【選択図】  図１
2005354355.tif 000002
【特許請求の範囲】
【請求項１】
受話器を有する第一の筐体と、送話器を有する第二の筐体とを備えた折り畳み式携帯電話機であって、
前記第一の筐体は、同一面上に二つの受話器を有し、
前記第二の筐体は、一の面の端部に送話器を有し、
前記第一の筐体と前記第二の筐体とが開いた開状態と、前記二つの受話器が配置された前記第一の筐体の面が前記第二の筐体側とは反対側を向くように折り畳まれた第一の閉状態と、前記二つの受話器が配置された前記第一の筐体の面が前記第二の筐体側を向くように折り畳まれた第二の閉状態とに遷移可能に前記第一の筐体と前記第二の筐体とを接続させる接続部を備え、
前記二つの受話器のうちの一方の受話器は、開状態で受話音声を出力し、
前記二つの受話器のうちの他方の受話器は、第一の閉状態で受話音声を出力する
ことを特徴とする折り畳み式携帯電話機。
【請求項２】
受信した受話音声の音声信号を増幅する受話音声増幅手段と、
二つの受話器のうちの一つを、受話音声を出力する受話器として選択する受話器選択手段と、
送話器から入力された送話音声の音声信号を増幅する送話音声増幅手段と、
開状態、第一の閉状態、および第二の閉状態を検出する開閉検出手段とを備え、
前記開閉検出手段は、開状態を検出したときに、前記受話器選択手段に開状態に応じた受話器を選択させ、前記受話音声増幅手段に開状態における増幅率で受話音声の音声信号を増幅させ、前記送話音声増幅手段に開状態における増幅率で送話音声の音声信号を増幅させ、第一の閉状態を検出したときに、前記受話器選択手段に第一の閉状態に応じた受話器を選択させ、前記受話音声増幅手段に第一の閉状態における増幅率で受話音声の音声信号を増幅させ、前記送話音声増幅手段に第一の閉状態における増幅率で送話音声の音声信号を増幅させる
請求項１に記載の折り畳み式携帯電話機。
【請求項３】
二つの受話器は、第一の筐体の同一面上に配置された状態で聴感特性が異なる請求項１または請求項２に記載の折り畳み式携帯電話機。
【請求項４】
接続部は、第一の回転軸と前記第一の回転軸に対し垂直に配置された第二の回転軸とを有する二軸ヒンジであり、前記第一の回転軸の回転により第一の筐体と第二の筐体とを開閉させ、前記第二の回転軸の回転により、二つの受話器が配置された前記第一の筐体の面の向きを変える
請求項１から請求項３のうちのいずれか１項に記載の折り畳み式携帯電話機。
【請求項５】
接続部は、開状態から、二つの受話器が配置された面と送話器が配置された面とが対向する第二の閉状態への遷移と、開状態から、前記二つの受話器が配置された面および前記送話器が配置された面がそれぞれ外側を向く第一の閉状態への遷移とを可能とする
請求項１から請求項３のうちのいずれか１項に記載の折り畳み式携帯電話機。
【発明の詳細な説明】
【技術分野】
【０００１】
本発明は、折り畳み式携帯電話機に関し、特に、開いた状態と閉じた状態のいずれでも通話を行える折り畳み式携帯電話機に関する。
【背景技術】
【０００２】
携帯電話機として、折り畳み可能な折り畳み式携帯電話機が知られている。
【０００３】
また、受話ユニット音口と送話マイクロホン音口をそれぞれ二つ有し、二種類の通話態様で通話可能な電話機が提案されている（例えば、特許文献１参照。）。特許文献１に記載の電話機は、折り畳み式の電話機ではなく、電話機の腹側と背側にそれぞれ一対の受話ユニット音口と送話マイクロホン音口を備えている。このような構成により、腹側の面と、背側の面のいずれを用いても通話可能としている。
【０００４】
また、複数の受話器を備えた折り畳み式携帯電話機も知られている（例えば、非特許文献１参照。）。
【０００５】
【特許文献１】特開平３−２０１７５３号公報（第２ページ、図１）
【非特許文献１】”「Ｎ５０６ｉ」は回転２軸式「リバーススタイル」で登場”、［online］、平成１６年４月２７日、［平成１６年５月３１日検索］、インターネット＜ＵＲＬ：http://www.itmedia.co.jp/mobile/articles/0404/27/news035.html＞
【発明の開示】
【発明が解決しようとする課題】
【０００６】
折り畳み式携帯電話機において、開いた状態と閉じた状態のいずれでも通話を行えることが好ましい。しかし、特許文献１のように電話機の腹側と背側にそれぞれ一対の受話ユニット音口と送話マイクロホン音口を備えた構成とし、さらに折り畳み可能な構成とした場合には、電話機を折り畳んだ状態で、対になる受話ユニット音口と送話マイクロホン音口とが、非常に近接することとなる。このため、折り畳んだ状態での通話がしにくいという問題が生じる。
【０００７】
また、折り畳み式携帯電話機において、開いた状態と閉じた状態のいずれでも通話を行えるようにした場合、閉じた状態であっても、開いた状態のときと同様に良好な通話状態を実現できることが好ましい。
【０００８】
そこで、本発明は、開いた状態と閉じた状態のいずれでも通話を行える折り畳み式携帯電話機を提供することを目的とする。また、閉じた状態であっても、開いた状態のときと同様に良好な通話状態を実現できる折り畳み式携帯電話機を提供することを目的とする。
【課題を解決するための手段】
【０００９】
本発明による折り畳み式携帯電話機は、受話器を有する第一の筐体と、送話器を有する第二の筐体とを備えた折り畳み式携帯電話機であって、第一の筐体が、同一面上に二つの受話器を有し、第二の筐体が、一の面の端部に送話器を有し、第一の筐体と第二の筐体とが開いた開状態と、二つの受話器が配置された第一の筐体の面が第二の筐体側とは反対側を向くように折り畳まれた第一の閉状態と、二つの受話器が配置された第一の筐体の面が第二の筐体側を向くように折り畳まれた第二の閉状態とに遷移可能に第一の筐体と第二の筐体とを接続させる接続部を備え、二つの受話器のうちの一方の受話器が、開状態で受話音声を出力し、二つの受話器のうちの他方の受話器が、第一の閉状態で受話音声を出力することを特徴とする。
【００１０】
受信した受話音声の音声信号を増幅する受話音声増幅手段と、二つの受話器のうちの一つを、受話音声を出力する受話器として選択する受話器選択手段と、送話器から入力された送話音声の音声信号を増幅する送話音声増幅手段と、開状態、第一の閉状態、および第二の閉状態を検出する開閉検出手段とを備え、開閉検出手段が、開状態を検出したときに、受話器選択手段に開状態に応じた受話器を選択させ、受話音声増幅手段に開状態における増幅率で受話音声の音声信号を増幅させ、送話音声増幅手段に開状態における増幅率で送話音声の音声信号を増幅させ、第一の閉状態を検出したときに、受話器選択手段に第一の閉状態に応じた受話器を選択させ、受話音声増幅手段に第一の閉状態における増幅率で受話音声の音声信号を増幅させ、送話音声増幅手段に第一の閉状態における増幅率で送話音声の音声信号を増幅させるように構成されていてもよい。そのような構成によれば、開状態および第一の閉状態のいずれの状態でも、良好な感度で通話を行うことができる。
【００１１】
二つの受話器は、第一の筐体の同一面上に配置された状態で聴感特性が異なっていてもよい。
【００１２】
接続部が、第一の回転軸と第一の回転軸に対し垂直に配置された第二の回転軸とを有する二軸ヒンジであり、第一の回転軸の回転により第一の筐体と第二の筐体とを開閉させ、第二の回転軸の回転により、二つの受話器が配置された第一の筐体の面の向きを変える構成であってもよい。
請求項１から請求項３のうちのいずれか１項に記載の折り畳み式携帯電話機。
【００１３】
接続部が、開状態から、二つの受話器が配置された面と送話器が配置された面とが対向する第二の閉状態への遷移と、開状態から、二つの受話器が配置された面および送話器が配置された面がそれぞれ外側を向く第一の閉状態への遷移とを可能とするように構成されていてもよい。
【発明の効果】
【００１４】
請求項１に記載の折り畳み式携帯電話機では、開状態と第一の閉状態のいずれの状態であっても通話を行うことができる。
【００１５】
請求項２に記載の折り畳み式携帯電話機では、開状態と第一の閉状態の双方の状態において、良好な感度で通話を行うことができる。
【発明を実施するための最良の形態】
【００１６】
以下、本発明を実施するための最良の形態を図面を参照して説明する。
【００１７】
実施の形態１．
図１は、本発明による折り畳み式携帯電話機の第１の実施の形態を示す斜視図である。本発明による折り畳み式携帯電話機は、第一の筐体５１と、第二の筐体５４とを備える。第一の筐体５１は、同一面上に二つの受話器１，２を有する。以下、受話器１，２が配置された面を第一面と記す。また、第一の筐体５１における第一面５２とは反対側の面を第二面と記す。第一面５２の中央には、文字や画像を表示する液晶表示部３が設けられる。受話器１，２は、それぞれ液晶表示部３をはさむようにして、液晶表示部３の上側と下側に配置される。二つの受話器１，２のうち、二つの筐体５１，５４が開いた状態（以下、開状態と記す。）で第二の筐体５４から遠い方に位置する受話器１は、開状態で受話音声を出力する。開状態で第二の筐体５４に近い方に位置する受話器２は、後述する第一の閉状態で受話音声を出力する。以下、受話器１を開状態使用受話器と記し、受話器２を閉状態使用受話器と記す。
【００１８】
開状態使用受話器１と閉状態使用受話器２とは、同一の型式（同一の型名）の受話器であってもよく、あるいは、異なる型式（異なる型名）の受話器であってもよい。なお、開状態使用受話器１の聴感特性と閉状態使用受話器２の聴感特性は異なる。開状態使用受話器１と閉状態使用受話器２とを同一型式の受話器にしたとしても、聴感特性は異なる。これは、近くに二軸ヒンジ６が存在するか否かの違いにより、使用者の耳にあてられる部分の形状が異なるためである。
【００１９】
第二の筐体５４は、使用者によって操作されるキー（図示略。）をキー配置面４に備える。また、第二の筐体５４は、キー配置面４の端部に送話器５を備える。ここで、送話器５が配置されるキー配置面４の端部とは、キー配置面４における二軸ヒンジ６とは反対側の端部である。図１に示す開状態では、開状態使用受話器１が受話音声を出力し、送話器５に送話音声が入力されることによって通話が行われる。
【００２０】
第一の筐体５１および第二の筐体５４は、二軸ヒンジ６によって接続される。二軸ヒンジ６は、第一の回転軸６ａと、第一の回転軸６ａに対して垂直に配置される第二の回転軸６ｂとを有する。第一の回転軸６ａは、第一の筐体５１と第二の筐体５４とを開閉させる。従って、第一の筐体５１は図１に示す実線の矢印の方向に回転し、その結果、折り畳み式携帯電話機は折り畳まれた状態になることができる。また、第二の回転軸６ｂは、第一の筐体に接続され、第一の筐体５１を回転させる。従って、第一の筐体５１は、第二の回転軸６ｂを回転軸として図１に示す破線の矢印の方向に回転し、その結果、第一面５２の向きも変化する。
【００２１】
このように、第二の回転軸６ｂによって第一面５２の向きが変化するので、第一面５２が第二の筐体５４側とは反対側を向くように折り畳むことも、第一面５２が第二の筐体５４側を向くように折り畳むことも可能である。第一面５２が第二の筐体５４側とは反対側を向くように折り畳まれた状態を第一の閉状態と記す。また、第一面５２が第二の筐体５４側を向くように折り畳まれた状態を第二の閉状態と記す。
【００２２】
図２は、第一の閉状態での折り畳み式携帯電話機の斜視図である。第一の閉状態では、第一面５２が第二の筐体５４側とは反対側を向く。この結果、第一の筐体５１における第一面５２の反対側の面である第二面５３が、第二の筐体５４のキー配置面４と対向する。また、第一面５２上に配置された開状態使用受話器１、閉状態使用受話器２、および液晶表示部３は露出した状態になる。図２に示す第一の閉状態では、閉状態使用受話器２が受話音声を出力し、送話器５に送話音声が入力されることによって通話が行われる。送話器５は、キー配置面４の端部に設けられているので、二つの筐体５１，５４が折り畳まれた状態であっても、送話音声を入力することができる。
【００２３】
図３は、第二の閉状態での折り畳み式携帯電話機の斜視図である。第二の閉状態では、第一面５２が第二の筐体５４側を向く。この結果、第一の筐体５１の第一面５２が、第二の筐体５４のキー配置面４と対向し、第一の筐体５１の第二面５３が露出した状態になる。第二の閉状態では、開状態使用受話器１と閉状態使用受話器２はいずれも第２の筐体５４によって覆われ、露出しない。そして、第二の閉状態では、通話は行われない。
【００２４】
また、本発明による折り畳み式携帯電話機は、開状態、第一の閉状態および第二の閉状態のうち、いずれの状態であるのかを検出する。図４は、この検出動作を説明する説明図である。第一の筐体５１は、片側の側面の近傍にマグネット１４を備える。マグネット１４は、第一の筐体５１の内部に収められている。第二の筐体５４は、第一の閉状態においてマグネット１４が近づく箇所に第一磁力検出器１５を備える。また、第二の筐体５４は、第二の閉状態においてマグネット１４が近づく箇所に第二磁力検出器１６を備える。第一磁力検出器１５および第二磁力検出器１６は、近傍に磁力が生じたときにその磁力を検出する。第一磁力検出器１５および第二磁力検出器１６は、第二の筐体５４の内部に収められている。また、折り畳み式携帯電話機は、第一磁力検出器１５および第二磁力検出器１６の双方が磁力を検出していないのか、第一磁力検出器１５が磁力を検出しているのか、第二磁力検出器１６が磁力を検出しているのかに応じて、開状態、第一の閉状態および第二の閉状態のうち、いずれの状態であるのかを検出する開閉検出回路（図４において図示せず。後述する図５参照。）１３を備える。
【００２５】
開状態では、図４に示すように、マグネット１４は、第一磁力検出器１５および第二磁力検出器１６から離れた位置に存在する。従って、開状態では、第一磁力検出器１５および第二磁力検出器１６はいずれも磁力を検出しない。この結果、開状態では、開閉検出回路１３は、第一磁力検出器１５および第二磁力検出器１６の双方が磁力を検出していないこと、すなわち開状態であることを検出する。
【００２６】
第一の閉状態では、マグネット１４は、第一磁力検出器１５に近づく。従って、第一の閉状態では、第一磁力検出器１５が磁力を検出し、第二磁力検出器１６は磁力を検出しない。この結果、第一の閉状態では、開閉検出回路１３は、第一磁力検出器１５が磁力を検出していること、すなわち第一の閉状態であることを検出する。
【００２７】
第二の閉状態では、マグネット１４は、第二磁力検出器１６に近づく。従って、第二の閉状態では、第二磁力検出器１６が磁力を検出し、第一磁力検出器１５は磁力を検出しない。この結果、第二の閉状態では、開閉検出回路１３は、第二磁力検出器１６が磁力を検出していること、すなわち第二の閉状態であることを検出する。
【００２８】
図５は、本発明による折り畳み式携帯電話機の回路構成を示すブロック図である。アンテナ７は、基地局（図示せず。）との間で音声信号の送受信を行う。無線部８は、基地局から送信されアンテナ７が受信した無線帯域の音声信号を音声帯域の音声信号に復調する。また、無線部８は、送話器５から入力された音声の音声信号（音声帯域の音声信号）を無線帯域の音声信号に変調し、アンテナ７を介して基地局に送信する。
【００２９】
無線部８は、復調した音声信号を受話音声増幅回路９に出力する。この音声信号は、受話音声の音声信号である。受話音声増幅回路９は、開閉検出回路１３の出力信号に応じた増幅率で、無線部８から入力された音声信号を増幅する。受話音声増幅回路９は、開閉検出回路１３の出力信号が変化すると、増幅率を変化させる。受話音声増幅回路９は、増幅後の音声信号を、受話器選択回路１０を介して開状態使用受話器１または閉状態使用受話器２に出力する。
【００３０】
受話器選択回路１０は、開閉検出回路１３の出力信号に応じて、受話音声増幅回路９を開状態使用受話器１または閉状態使用受話器２に接続させる。開状態使用受話器１および閉状態使用受話器２は、受話器選択回路１０を介して受話音声増幅回路９から音声信号を入力されると、その音声信号を音声（受話音声）に変換し出力する。
【００３１】
また、送話器５は、使用者の送話音声を入力されるとその送話音声を音声信号に変換し、その音声信号を送話器回路１２に出力する。送話器回路１２は、周波数特性の補正を行い、音声信号を送話音声増幅回路１１に出力する。送話音声増幅回路１１は、開閉検出回路１３の出力信号に応じた増幅率で、送話器回路１２から入力された音声信号を増幅する。送話音声増幅回路１１は、開閉検出回路１３の出力信号が変化すると、増幅率を変化させる。送話音声増幅回路１１は、増幅後の音声信号を無線部８に出力する。無線部８は、この音声信号を無線帯域の音声信号に変調し、アンテナ７を介して基地局に送信する。
【００３２】
開閉検出回路１３は、受話音声増幅回路９、受話器選択回路１０および送話音声増幅回路１１に接続される。そして、受話音声増幅回路９、受話器選択回路１０および送話音声増幅回路１１に対し、折り畳み携帯電話機の状態（開状態、第一の閉状態または第二の閉状態）に応じた信号を出力する。すなわち、開閉検出回路１３は、開状態を検出したときには、開状態であることを示す信号を出力する。また、第一の閉状態を検出したときには、第一の閉状態であることを示す信号を出力する。第二の閉状態を検出したときには、第二の閉状態であることを示す信号を出力する。
【００３３】
受話音声増幅回路９は、第一の閉状態であることを示す信号が開閉検出回路１３から入力されると、受話音声の音声信号（無線部８から入力される音声信号）を、第一の閉状態で適用される増幅率として予め定められた増幅率で増幅する。また、受話音声増幅回路９は、開状態であることを示す信号が開閉検出回路１３から入力されると、受話音声の音声信号を、開状態で適用される増幅率として予め定められた増幅率で増幅する。第一の閉状態で適用される増幅率は、開状態で適用される増幅率よりも低い。また、受話音声増幅回路９は、第二の閉状態であることを示す信号が開閉検出回路１３から入力されると動作を停止する。
【００３４】
送話音声増幅回路１１は、第一の閉状態であることを示す信号が開閉検出回路１３から入力されると、送話音声の音声信号（送話器回路１２から入力される音声信号）を、第一の閉状態で適用される増幅率として予め定められた増幅率で増幅する。また、送話音声増幅回路１１は、開状態であることを示す信号が開閉検出回路１３から入力されると、送話音声の音声信号を、開状態で適用される増幅率として予め定められた増幅率で増幅する。第一の閉状態で適用される増幅率は、開状態で適用される増幅率よりも低い。また、送話音声増幅回路１１は、第二の閉状態であることを示す信号が開閉検出回路１３から入力されると動作を停止する。
【００３５】
受話器選択回路１０は、第一の閉状態であることを示す信号が開閉検出回路１３から入力されると、受話器音声増幅回路９と閉状態使用受話器２とを接続させる。従って、第一の閉状態であるときには、閉状態使用受話器２および送話器５を用いた通話が可能となる。また、開状態であることを示す信号が開閉検出回路１３から入力されると、受話器音声増幅回路９と開状態使用受話器１とを接続させる。従って、開状態であるときには、開状態使用受話器１および送話器５を用いた通話が可能となる。
【００３６】
また、第一の閉状態では、受話音声増幅回路９および送話音声増幅回路１１は、それぞれ開状態のときよりも低い増幅率で音声信号を増幅する。このため、第一の閉状態のときであっても、開状態と同様の良好な通話状態を実現することができる。第一の閉状態における閉状態使用受話器２と送話器５との距離は、開状態における開状態使用受話器１と送話器５との距離よりも短い。そのため、第一の閉状態における送話器５と使用者の口元との距離と、開状態における送話器５と使用者の口元との距離とが異なり、第一の閉状態では開状態に比べて受話から送話への音響結合量が増える。また、既に述べたように開状態使用受話器１の聴感特性と閉状態使用受話器２の聴感特性は異なる。本発明では、受話音声増幅回路９および送話音声増幅回路１１における増幅率を開状態と第一の閉状態とで変化させているので、このような音響結合量の変化や使用される受話器の聴感特性の違いがあっても、音量やエコーの状態が変化せず、開状態および第一の閉状態の双方において良好な感度で通話できる。
【００３７】
また、第二の閉状態では、開状態使用受話器１と閉状態使用受話器２とがともに第二の筐体５４に覆われ通話できなくなる。このとき、受話音声増幅回路９および送話音声増幅回路１１はいずれも、第二の閉状態であることを示す信号を開閉検出回路１３から入力され、動作を停止する。従って、無駄な消費電力を低減することができる。
【００３８】
本実施の形態において、二軸ヒンジ６は、接続部に相当する。受話音声増幅回路９は、受話音声増幅手段に相当する。受話器選択回路１０は、受話器選択手段に相当する。送話音声増幅回路１１は、送話音声増幅手段に相当する。開閉検出回路１３は、開閉検出手段に相当する。
【００３９】
実施の形態２．
図６は、第２の実施の形態の折り畳み式携帯電話機を示す斜視図である。第１の実施の形態と同様の構成部については、図１と同一の符号で表し、説明を省略する。また、本実施の形態における折り畳み式携帯電話機の回路構成は、図５に示す回路構成と同様である。図１に示す折り畳み式携帯電話機の状態は、第一の筐体５１と、第二の筐体５４とが開いた開状態である。このとき、開状態使用受話器１が受話音声を出力し、送話器５に送話音声が入力されることによって通話が行われる。
【００４０】
第２の実施の形態では、第一の筐体５１と、第二の筐体５４とが、ヒンジ１７によって接続される。ヒンジ１７は、開状態から、開状態使用受話器１および閉状態使用受話器２が配置された第一面５２と送話器５が配置されたキー配置面４とが対向する第二の閉状態への遷移を可能とする。第一面５２とキー配置面４とが対向する状態は、第一面５２が第二の筐体５４側を向くように折り畳まれた状態であるので、第二の閉状態である。また、ヒンジ１７は、開状態から、第一面５２とキー配置面４がそれぞれ外側を向く（すなわち露出する）ように折り畳まれた第一の閉状態への遷移も可能とする。第一面５２とキー配置面４がそれぞれ外側を向くように折り畳まれた状態は、第一面５２が第二の筐体５４側とは反対側を向くように折り畳まれた状態であるので第一の閉状態である。
【００４１】
図７は、本実施の形態の折り畳み式携帯電話機の側面図である。図７を用いて、ヒンジ１７による第一の筐体５１の可動範囲を説明する。ヒンジ１７の側面の形状は、図７に示すように矩形の両端に半円を付加した形状となっている。第一の筐体５４は、このヒンジ１７の側面形状の外周に沿って回転する。開状態から第二の閉状態に遷移させる場合、第一面５２とキー配置面４とのなす角度が小さくなるように、第一の筐体５１はヒンジ１７に沿って回転する。図７では、このときの第一の筐体５１の可動範囲を、可動範囲１として示している。また、開状態から第一の閉状態に遷移させる場合、第二面５３と、第二の筐体５４におけるキー配置面とは反対側の面とのなす角度が小さくなるように、第一の筐体５１はヒンジ１７に沿って回転する。図７では、このときの第一の筐体５１の可動範囲を、可動範囲２として示している。第一の閉状態では、閉状態使用受話器２が受話音声を出力し、送話器５に送話音声が入力されることによって通話が行われる。
【００４２】
次に、開状態、第一の閉状態および第二の閉状態を検出する動作について説明する。図７に示すように、第一の筐体５１は、筐体内部にマグネット１４を備える。また、第二の筐体５４は、筐体内部に第一磁力検出器１５および第二磁力検出器１６を備える。第一磁力検出器１５は、第一の閉状態のときにマグネット１４が近づく箇所に収められている。第二磁力検出器１６は、第二の閉状態のときにマグネット１４が近づく箇所に収められている。
【００４３】
開状態では、図７に示すように、マグネット１４は、第一磁力検出器１５および第二磁力検出器１６から離れた位置に存在する。従って、開状態では、第一磁力検出器１５および第二磁力検出器１６はいずれも磁力を検出しない。この結果、開状態では、開閉検出回路１３（図５参照。）は、第一磁力検出器１５および第二磁力検出器１６の双方が磁力を検出していないこと、すなわち開状態であることを検出する。開閉検出回路１３が開状態を検出したときの、開閉検出回路１３、受話音声増幅回路９、受話器選択回路１０および送話音声増幅回路１１の動作は、第１の実施の形態と同様である。従って、開状態では、開状態使用受話器１と送話器５を用いた通話が可能になる。また、送話音声の音声信号および受話音声の音声信号は、開状態に応じた増幅率で増幅される。
【００４４】
図８は、折り畳んだときの折り畳み式携帯電話機の側面図である。図８（ａ）は、第二の閉状態における側面図であり、図８（ｂ）は、第一の閉状態における側面図である。第二の閉状態では、図８（ａ）に示すように、マグネット１４は、第二磁力検出器１６に近づく。このとき、第二磁力検出器１６が磁力を検出し、第一磁力検出器１５は磁力を検出しない。この結果、第二の閉状態では、開閉検出回路１３は、第二磁力検出器１６が磁力を検出していること、すなわち第二の閉状態であることを検出する。開閉検出回路１３が第二の閉状態を検出したときの、開閉検出回路１３、受話音声増幅回路９、受話器選択回路１０および送話音声増幅回路１１の動作も、第１の実施の形態と同様である。従って、第二の閉状態では、受話音声増幅回路９および送話音声増幅回路１１は、第二の閉状態であることを示す信号を入力され、動作を停止する。
【００４５】
第一の閉状態では、図８（ｂ）に示すように、マグネット１４は、第一磁力検出器１５に近づく。このとき、第一磁力検出器１５が磁力を検出し、第二磁力検出器１６は磁力を検出しない。この結果、第一の閉状態では、開閉検出回路１３は、第一磁力検出器１５が磁力を検出していること、すなわち第一の閉状態であることを検出する。開閉検出回路１３が第一の閉状態を検出したときの、開閉検出回路１３、受話音声増幅回路９、受話器選択回路１０および送話音声増幅回路１１の動作も、第１の実施の形態と同様である。従って、第一の閉状態では、閉状態使用受話器２と送話器５を用いた通話が可能になる。また、送話音声の音声信号および受話音声の音声信号は、第一の閉状態に応じた増幅率で増幅される。
【００４６】
第２の実施の形態でも、第１の実施の形態と同様の効果を得ることができる。すなわち、開いた状態と折り畳んだ状態の双方で通話ができる。また、いずれの状態でも、良好な感度で通話ができる。また、開状態使用受話器１と閉状態使用受話器２とがともに第二の筐体５４に覆われる第二の閉状態では、受話音声増幅回路９および送話音声増幅回路１１の動作が停止され、無駄な消費電力を低減することができる。
【００４７】
また、第２の実施の形態では、第一の閉状態において、開状態使用受話器１、開状態使用受話器２および液晶表示部３が配置された第一面５２だけでなく、キー（図示せず。）が配置されたキー配置面４も露出する（図８（ｂ）参照。）。従って、第一の閉状態では、通話時にキー操作を行うこともできる。
【００４８】
本実施の形態において、ヒンジ１７は、接続部に相当する。
【産業上の利用可能性】
【００４９】
本発明は、折り畳み式携帯電話機に適用することができる。
【図面の簡単な説明】
【００５０】
【図１】本発明による折り畳み式携帯電話機の第１の実施の形態を示す斜視図である。
【図２】第一の閉状態での折り畳み式携帯電話機の斜視図である。
【図３】第二の閉状態での折り畳み式携帯電話機の斜視図である。
【図４】開状態、第一の閉状態および第二の閉状態の検出動作を説明する説明図である。
【図５】本発明による折り畳み式携帯電話機の回路構成を示すブロック図である。
【図６】第２の実施の形態の折り畳み式携帯電話機を示す斜視図である。
【図７】第２の実施の形態の折り畳み式携帯電話機の側面図である。
【図８】折り畳んだときの折り畳み式携帯電話機の側面図である。
【符号の説明】
【００５１】
１  開状態使用受話器
２  閉状態使用受話器
４  キー配置面
５  送話器
９  受話音声増幅回路
１０  受話器選択回路
１１  送話音声増幅回路
１３  開閉検出回路
１４  マグネット
１５  第一磁力検出器
１６  第二磁力検出器
５１  第一の筐体
５２  第一面
５３  第二面
５４  第二の筐体
【図１】
2005354355.tif 000003
【図２】
2005354355.tif 000004
【図３】
2005354355.tif 000005
【図４】
2005354355.tif 000006
【図５】
2005354355.tif 000007
【図６】
2005354355.tif 000008
【図７】
2005354355.tif 000009
【図８】
2005354355.tif 000010